(57)【要約】【課題】既存のブッキ撮影台に放射線画像撮像装置を用いた場合であっても、良好に無線通信を行うことができ、且つ、当該放射線画像撮像装置が撮影に用いられる放射線画像撮像装置として選択されていることを容易に確認することができる放射線画像撮像装置を提供する。【解決手段】該筐体から突出し、生成した放射線画像データを無線送信するアンテナ部と撮影に用いる放射線画像撮像装置として選択されているか否かを表示する表示部が設けられているストラップを有する放射線画像撮像装置とする。【選択図】図９
2010187734.tif 000002
【特許請求の範囲】
【請求項１】
入射された放射線に基づいて撮影を行って放射線画像データを取得する撮像パネルと、前記撮像パネルを収容する筐体と、該筐体から突出し、生成した放射線画像データを無線送信するアンテナ部を備えたストラップと、を有する放射線画像撮像装置であって、
前記筐体は規格サイズ大の開口部を有するブッキ撮影台に挿入可能なサイズであり、前記ストラップには撮影に用いる放射線画像撮像装置として選択されているか否かを表示する表示部が設けられていることを特徴とする放射線画像撮像装置。
【請求項２】
前記筐体は、放射線が入射される受光面、背面、及び４つの側面からなる直方体形状であり、前記ストラップは前記筐体の２つの側面が交わる綾に繋止されていることを特徴とする請求項１に記載の放射線画像撮像装置。
【請求項３】
前記ストラップは、ループ状であることを特徴とする請求項１又は２に記載の放射線画像撮像装置。
【請求項４】
前記ストラップには、操作者が撮影に用いる放射線画像撮像装置として選択する選択スイッチが設けられていることを特徴とする請求項１から３のいずれかに記載の放射線画像撮像装置。
【請求項５】
前記選択スイッチは、一対のボタンであり、該ボタンはループ状の前記ストラップを二つ折りしたときに相対する位置に設けられており、一対のボタンを共に押し下げることにより機能することを特徴とする請求項３又は４に記載の放射線画像撮像装置。
【請求項６】
前記アンテナ部による無線通信の方式は、ＵＷＢ通信方式であることを特徴とする請求項１から５のいずれかに記載の放射線画像撮像装置。
【請求項７】
請求項１から６のいずれかに記載の放射線画像撮像装置と、
前記放射線画像撮像装置を挿入可能な規格サイズ大の開口部を有するブッキ撮影台と、
撮影に用いる放射線画像撮像装置を選択する制御端末と、を有することを特徴とする放射線画像撮像システム。
【発明の詳細な説明】
【技術分野】
【０００１】
本発明は無線通信を行う可搬型の放射線画像撮像装置と、当該放射線画像撮像装置を用いる放射線画像撮像システムに関する。
【背景技術】
【０００２】
医療診断の場においては、ＣＲカセッテに内蔵された蛍光体プレートを励起光で走査することにより放射線画像データを読み取る読取装置と、当該読取装置で読み取られた放射線画像データを取得する制御装置（コンソール）とを用いたＣＲ（Ｃｏｍｐｕｔｅｄ  Ｒａｄｉｏｇｒａｐｈｙ）システムが実用化されている（特許文献１参照）。
【０００３】
更に、上述したＣＲカセッテに代わり、基板上に２次元的に配列された放射線検出素子を内蔵し、当該放射線検出素子に照射された放射線量に応じた電気信号を出力することが可能な、放射線画像撮像装置としてのＦＰＤ（Ｆｌａｔ  Ｐａｎｅｌ  Ｄｅｔｅｃｔｏｒ）装置が提案されている。このＦＰＤを用いれば、励起光を照射して放射線画像を読み取る読取装置を必要とせず、直接的に放射線画像のデータを得ることができるので、ＣＲカセッテを用いた場合よりもシステム自体を小型化することが可能となり、また、撮影作業も円滑となる。
【０００４】
このようなメリットからＣＲカセッテで構築された既存のＣＲシステムに対してＦＰＤへの置き換えを行いたいという要望がある。初期導入コストを抑制するということから、全部を一度に置き換えるのではなく初めは両者を混在して使用できることが好ましい。
【０００５】
半導体技術の向上により小サイズで軽量化が可能となりＣＲカセッテと同等のサイズの可搬型で無線通信部を備えたＦＰＤが採用可能となり、このようなＦＰＤを用いれば従来のＣＲシステムで用いていた放射線を照射する放射線照射部やＣＲカセットを取り付けるブッキ撮影台等の設備をそのままＦＰＤでも流用できるので、両者の混在が可能となる。
【０００６】
特許文献２では、迅速且つ広範囲な部位の撮影を可能とするため、可搬型でかつ無線通信が可能なカセッテタイプのＦＰＤが考案されている。更に特許文献２においては、無線通信時の無線電波の影響による画像性能の劣化や、他の機器への影響、患者への電磁波への照射を防ぐために、ＦＰＤに延長ケーブルを接続し、その延長ケーブルの先端に指向性のアンテナを設けている。そして、延長ケーブルにアンテナの受信感度を表示する表示部を設けている。
【０００７】
また複数の撮影装置及びＦＰＤ（センサユニット）が設けられている場合、それぞれのＦＰＤに対応して設けられている選択スイッチが押されたことにより、当該選択スイッチに対応するＦＰＤをレディ状態とし、それ以外のＦＰＤをスリープ状態に遷移させる撮影システムが開示されている（特許文献３参照）。
【先行技術文献】
【特許文献】
【０００８】
【特許文献１】特開２００２−１５８８２０号公報
【特許文献２】特開２００３−２１０４４４号公報
【特許文献３】特開２０００−３０８６３０号公報
【発明の概要】
【発明が解決しようとする課題】
【０００９】
ＦＰＤを用いて撮影を行う際には、放射線照射装置と撮影に関するタイミングを取る必要がある。タイミングを取る場合には、制御端末であらかじめ撮影に用いるＦＰＤを選択しておき通信リンクを確立させておく。また複数のＦＰＤを用いる撮影システムの場合には、選択して通信リンクが確立されているＦＰＤであるか否かは確認する必要がある。特に無線通信方式のＦＰＤを用いた場合では、ネットワーク上では選択したＦＰＤの存在を確認できても、実際にどの場所に存在しているかを正確に把握することが難しい場合がある。また複数のＦＰＤが同じ撮影室内等の近距離で存在している場合には、どのＦＰＤが選択したＦＰＤであるかを把握することが困難である。
【００１０】
そのために、実際に選択したＦＰＤであるか否かを操作者が確認するため、ＦＰＤの外装に付与した識別ＩＤ番号や付帯ＬＥＤの点灯を目視で確認する必要がある。しかし、前述のようなＣＲカセッテで構築されたシステムに対してＦＰＤを混在して使用するためには、撮影時にブッキ撮影台に設けられている既存のカセッテ挿入口にＦＰＤを挿入する必要がある。
【００１１】
カセッテのサイズは規格化されたものであり、ブッキ撮影台のカセッテ挿入口の大きさはその規格サイズに沿ったものとなっているため、ＦＰＤをその規格サイズに合わせることにより、既存のブッキ撮影台で使えるようにすることは比較的容易である。しかし、一方で挿入方向や、挿入口周辺における他の部品の取り付け状態はブッキ撮影台の種類に応じて多様なものとなっている。
【００１２】
このような場合には、挿入口付近の構成により撮影台に取り付けた状態ではＦＰＤの外装に付与した識別ＩＤや付帯ＬＥＤの点灯が確認できない場合がある。そのような場合には、操作者が挿入口からＦＰＤを再度取り出して確認した後に、再び挿入する必要があり、操作性に問題があった。
【００１３】
また複数枚の撮影を一枚のＦＰＤで行うような場合には、その選択状態が継続されているのか、解除されているのかが不明確であるという問題があった。
【００１４】
またカセッテ挿入口にＦＰＤを挿入した状態では、カセッテ挿入口周辺の構造によっては、無線通信の状態が悪くなるという問題があった。
【００１５】
本願発明は上記問題に鑑み、既存のブッキ撮影台に放射線画像撮像装置を用いた場合であっても、良好に無線通信を行うことができ、且つ、当該放射線画像撮像装置が撮影に用いられる放射線画像撮像装置として選択されていることを容易に確認することができる放射線画像撮像装置を提供することを目的とする。
【課題を解決するための手段】
【００１６】
１．入射された放射線に基づいて撮影を行って放射線画像データを取得する撮像パネルと、前記撮像パネルを収容する筐体と、該筐体から突出し、生成した放射線画像データを無線送信するアンテナ部を備えたストラップと、を有する放射線画像撮像装置であって、
前記筐体は規格サイズ大の開口部を有するブッキ撮影台に挿入可能なサイズであり、前記ストラップには撮影に用いる放射線画像撮像装置として選択されているか否かを表示する表示部が設けられていることを特徴とする放射線画像撮像装置。
【００１７】
２．前記１に記載の放射線画像撮像装置と、
前記放射線画像撮像装置を挿入可能な規格サイズ大の開口部を有するブッキ撮影台と、
撮影に用いる放射線画像撮像装置を選択する制御端末と、を有することを特徴とする放射線画像撮像システム。
【発明の効果】
【００１８】
本願発明によれば、既存のブッキ撮影台に放射線画像撮像装置を用いた場合であっても、アンテナ部と表示部が設けられたストラップをＦＰＤが有することにより、良好に無線通信を行うことができ、且つ、当該放射線画像撮像装置が撮影に用いられる放射線画像撮像装置として選択されていることを容易に確認することができる。
【図面の簡単な説明】
【００１９】
【図１】本実施形態における放射線画像撮像システム１の概略構成を示す図である。
【図２】変形例における放射線画像撮像システム１の概略構成を示す図である。
【図３】コンソール７の要部構成を示すブロック図である。
【図４】撮影に用いるＦＰＤ６を選択する選択画面である。
【図５】ＦＰＤ６の要部構成を示すブロック図である。
【図６】ＦＰＤ６の斜視図である。
【図７】図６を拡大したＦＰＤ６の斜視図である。
【図８】ストラップの変形例を示す図である。
【図９】ＦＰＤ６を装着部１１０に装填している状態を示す図である。
【図１０】装着部１１０に図９に示したＦＰＤ６を装填した際の状態を示す図である。
【図１１】ストラップの他の変形例を示す図である。
【発明を実施するための形態】
【００２０】
本発明を実施の形態に基づいて説明するが、本発明は該実施の形態に限られない。
【００２１】
本実施形態における放射線画像撮像システムについて図１乃至図６に基づいて説明する。図１は、本実施形態における放射線画像撮像システム１の概略構成を示す図である。
【００２２】
放射線画像撮像システム１は、図１に示すように、放射線撮影に関する操作を行う撮影操作装置４と、例えば無線ＬＡＮ（Ｌｏｃａｌ  Ａｒｅａ  Ｎｅｔｗｏｒｋ）により無線通信を行うためのアクセスポイント５と、放射線画像撮像装置６（以下、単にＦＰＤ６と称す）により生成された放射線画像データに画像処理を行うコンソール７とがネットワークＮを通じて接続されて構成されている。なお、ここでは図示してないが、放射線画像撮像システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００２３】
１００は撮影室である。撮影室１００は放射線照射装置３、撮影操作装置４、無線通信を行うアクセスポイント５、これらを接続するＨＵＢ９を備えている。
【００２４】
放射線照射装置３は、ブッキ撮影台１１に横たわっている被検体である患者Ｐに対して放射線を照射するようになっており、ブッキ撮影台１１の下方には、ＦＰＤ６を装着する装着部１１０が設けられている。放射線照射装置３は、撮影操作装置４により制御されて所定の撮影条件で放射線撮影を行うようになっている。装着部１１０の開口部１１０ａは、規格化サイズのＣＲやＦＰＤのカセッテを挿脱できる寸法になっている。
【００２５】
また放射線照射装置３と装着部１１０に装填したＦＰＤ６との撮影タイミングの同期は、両者間でアクセスポイント５を経由した無線通信により行うようにしてもよい。
【００２６】
アクセスポイント５は、放射線照射装置３を備えた撮影室の所定領域内でＦＰＤ６とコンソール７とが無線通信する際に、これらの通信を中継する機能をもつ。なお、図１に示す実施形態においては、無線通信方式としては汎用的な無線ＬＡＮ（例えば、ＩＥＥＥ８０２．１１ａ／ｂ／ｎ準拠の通信方式）により行っている。
【００２７】
無線ＬＡＮ以外の実施例としては図２の変形例に示す様に、ＵＷＢ（Ｕｌｔｒａ  Ｗｉｄｅ  Ｂａｎｄ）を用いたシステムとしてもよい。またＵＷＢの中でも特にＷＵＳＢ（Ｗｉｒｅｌｅｓｓ  ＵＳＢ）を用いることが好ましい。図２に示す例においては、アクセスポイント５に換えて。コンソール７とＵＳＢケーブル等で接続しているＷＵＳＢのホストデバイス５１を用いている。なお図１に示す構成と同じ装置は同じ符号を付すことにより説明に代える。またこれらに限られず、電波（空間波）を用いるものの他に、赤外線や可視光線等（レーザー等）を用いた光無線通信（例えば、ＩｒＤＡ）、音波又は超音波を用いた音響通信により無線通信するようにしてもよい。
【００２８】
ＵＷＢの特徴としては、高速で通信できるが、電波の出力が小さいという特性がある。また電波の周波数が比較的高いことから直進性が強い。そのため通信端末間の障害物による減衰が大きい点でデメリットがある。しかし、図１等で示すように、ＦＰＤ６とアクセスポイント５は共に、撮影室１００の中に設けられている。また本実施形態では、後述する筐体６０１から突出したストラップ６０２ａ（あるいは６０２ｂ）にアンテナ部ＡＮを設けているために、ブッキ撮影台１１自身が障害物となることを避けることができ、問題なく通信を行うことができる。またＷＵＳＢの電波の出力が弱いという特性は、患者Ｐがペースメーカ等の医療機器に対する影響を考慮した場合には、逆に好ましい特性といえる。更に、ＦＰＤ６は可搬型としているので、その電源供給は主に内部の電源部６７により行っており、電源部６７の容量を考慮すると消費電力が少ないことが求められる。その点でもＵＷＢが好ましい。
【００２９】
なお、図１の説明においては、無線アクセスポイント５を経由した無線通信により通信を行う例について説明したが、これに限られず、装着部１１０の奥に接続コネクタを設け、ＦＰＤ６を装着部１１０からブッキ撮影台１１に装填することにより、当該接続コネクタを介してネットワークＮと有線通信するようにしてもよい。
【００３０】
［コンソール７］
図３は、「制御端末」として機能するコンソール７の要部構成を示すブロック図である。コンソール７は、図３に示すように、制御部７４、ＲＡＭ（Ｒａｎｄｏｍ  Ａｃｃｅｓｓ  Ｍｅｍｏｒｙ）７５、ＲＯＭ（Ｒｅａｄ  Ｏｎｌｙ  Ｍｅｍｏｒｙ）７６、表示部７７、入力操作部７８、通信部７９、記憶部７０等を備えて構成されており、各部はバス７１により接続されている。
【００３１】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７４から送られる表示信号の指示に従って、前記患者リスト、各種のメッセージや画像等、各種画面を表示するものである。
【００３２】
入力操作部７８は、例えば、キーボードやマウス等から構成されており、キーボードで押下操作されたキーの押下信号やマウスによる操作信号を入力信号として制御部７４に対して出力するものである。なお、入力操作部７８は、表示部７７の表示画面を覆う透明なシートパネルに、指又は専用のスタイラスペンで触れることにより入力される位置情報を入力信号として制御部７４に出力する、いわゆる、タッチパネルにより構成されていてもよい。
【００３３】
記憶部７０には、ＦＰＤ６の特性情報が記憶されている。ここで特性情報とは、後述のＦＰＤの撮像素子や、シンチレータパネルの特性などである。画像処理部７２では、ＦＰＤ６から取得した放射線画像データに対して、記憶部７０に記憶しておいた当該ＦＰＤ６の特性情報を用いて、放射線画像データのゲイン補正あるいはオフセット補正、欠陥画素の補正等の画像処理を行うことができる。なお、複数のＦＰＤ６を用いたシステムにおいてそれぞれのＦＰＤ６の特性情報が異なる場合には、それぞれのＦＰＤ６を識別ＩＤで管理して、識別ＩＤに対応させて特性情報を記憶部７０に記憶させ、当該特性情報により画像データに対して画像処理を行うようにしてもよい。
【００３４】
通信部７９によりネットワークＮに接続された各装置と通信する。そして当該通信部７９によりネットワークＮに接続されているアクセスポイント５を介して無線ＬＡＮ等の無線通信方式によりＦＰＤ６との間で各種情報の通信を行う。
【００３５】
制御部７４は、ＣＰＵ（Ｃｅｎｔｒａｌ  Ｐｒｏｃｅｓｓｉｎｇ  Ｕｎｉｔ）等から構成され、ＲＯＭ７６に格納される所定のプログラムを読み出してＲＡＭ７５の作業領域に展開し、当該プログラムに従って各種処理を実行するように構成されている。
【００３６】
放射線画像撮像システムでは個々のＦＰＤ６に固有の識別ＩＤを付与している。記憶部７０には各々のＦＰＤ６の複数の信号読出回路６７４（後述）それぞれに対応する固有の変換感度特性が記憶されている。そして制御部７４では、当該変換感度特性を参照することにより取得した画像データに対して感度補正を行う。
【００３７】
図４は、撮影に用いるＦＰＤ６を選択する選択画面である。同図に示すように複数のＦＰＤ６が一つのコンソール７に登録されている場合には登録一覧７７５には複数のＦＰＤ６が識別ＩＤ等とともに表示される。操作者は、撮影オーダに基づいて一覧の中から撮影に使用するＦＰＤ６を選択してから選択実行釦７７６を押し下げることにより選択が実行される。
【００３８】
図４に示すようなＦＰＤ６のサイズ、識別ＩＤなどの情報は不図示の管理サーバあるいはコンソール７の記憶部７０に記憶されている。
【００３９】
［ＦＰＤ６］
図５、図６及び図７に基づいて放射線画像撮像装置としてのＦＰＤ６について説明する。図５は、ＦＰＤ６の要部構成を示すブロック図であり、図６はＦＰＤ６の斜視図であり、図７は図６の拡大図である。
【００４０】
図５に示すように、ＦＰＤ６の制御系は、制御部６４、ＲＡＭ６５、ＲＯＭ６６、撮像パネル６２、記憶部６０、電源部６７、無線通信部６９、等を備え、各部はバス６１により接続されている。
【００４１】
制御部６４は、例えば、ＣＰＵ等から構成され、ＲＯＭ６６に記憶されている制御プログラムを読み出してＲＡＭ６５内に形成されたワークエリアに展開し、当該制御プログラムに従ってＦＰＤ６の各部を制御する。ＲＯＭ６６は、不揮発性の半導体メモリ等により構成され、制御部６４で実行される制御プログラム、各種プログラム及び、ＦＰＤ６の識別ＩＤ等を記憶する。ＲＡＭ６５は、制御部６４により実行制御される各種処理において、ＲＯＭ６６から読み出された制御部６４で実行可能な各種プログラム、入力若しくは出力データ、及びパラメータ等を一時的に記憶するワークエリアを形成する。
【００４２】
記憶部６０は、例えばフラッシュメモリ等の不揮発性メモリやＲＡＭから構成され、撮像パネル６２に蓄積された電気信号が読み取られることにより取得された、複数回分の撮影に相当する放射線画像データを記憶可能となっている。
【００４３】
バッテリとしての電源部６７は、ＦＰＤ６を構成する複数の駆動部（制御部６４、撮像パネル６２、記憶部６０など）に電力を供給する。この電源部６７は、例えば予備電池と充電自在な充電池とで構成されており、コネクタ６０５を図示しないクレードルに接続することにより、充電池を充電させることが可能である。
【００４４】
図６に示すように、ＦＰＤ６は、内部を保護する筐体６０１を備えており、カセッテ型として可搬可能に構成されている。可搬可能とし、かつ、規格に合わせてサイズを適正化とすることにより既存のＣＲシステム（ＣＲ：Ｃｏｍｐｕｔｅｄ  Ｒａｄｉｏｇｒａｐｈｙ）で構築したブッキ撮影台１１等の撮影装置に装填するようにもできる。このようなことによりＣＲシステムに対して置き換えが徐々に行えるというメリットがある。
【００４５】
図６に示す筐体６０１にはストラップ６０２ａが設けられており、その内部には、照射された放射線を電気信号に変換する撮像パネル６２が層を成して形成されている。直方体体状の筐体６０１は、受光面Ｆ（正面）、背面Ｂ、４つの側面からなる。放射線の照射は、同図におけるＺ方向から受光面Ｆに向けて照射される。撮像パネル６２の受光面Ｆ側には、入射された放射線の強度に応じて発光を行う発光層６３が設けられている。
【００４６】
発光層６３は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００４７】
受光面Ｆに対して反対側の背面Ｂには、発光層から出力された電磁波（光）を電気エネルギーに変換して蓄積し、蓄積された電気エネルギーに基づく画像信号の出力を行う光電変換部がマトリクス状に配列された撮像パネル６２が形成されている。なお、１つの光電変換部から出力される信号が、放射線画像データを構成する最小単位となる１画素に相当する信号となる。また撮像パネル６２は、蓄積された電気エネルギーを読み出す走査駆動回路６０９と、蓄積された電気エネルギーを画像信号として出力する信号選択回路６０８とを有する。
【００４８】
［ストラップ６０２ａ］
図６及び図７に示すように、ストラップ６０２ａは、筐体６０１の二つの側面Ｓ１、Ｓ２が接する稜Ｅの近傍に設けられている。そしてストラップ６０２ａには、アンテナ部ＡＮ、表示部ＬＥＤ、選択スイッチＳＷが設けられている。なお、表示部ＬＥＤはストラップ６０２ａの両側から視認できるように、ストラップ６０２ａの基材の一部が半透明のもので構成されている。
【００４９】
「アンテナ部ＡＮ」には、ＵＷＢ方式の無線通信を行う無線デバイスが内蔵されており、無線電波をデジタル信号に変換する。「表示部ＬＥＤ」は発光ダイオードあるいは小型の液晶ディスプレイから構成され図４の設定画面等で装置が撮影に用いるＦＰＤ６として選択されているか否かを操作者に認識できるように表示させたり、電源部６７の電源容量のレベルを表示させたりすることができる。「選択スイッチＳＷ」は、操作者が操作することにより、ＦＰＤ６の電源をＯＦＦ／ＯＮさせたりレディ状態及びスリープ状態間を遷移させたりすることができる。なお、本実施形態においてはアンテナ部ＡＮに無線デバイスを内蔵した例を示したがこれに限られず、ストラップ６０２ａにはアンテナの配線のみを行うようにして無線デバイスは、筐体６０１の内部に設けるようにしてもよい。
【００５０】
ストラップ６０２ａの基材は、絶縁体で可撓性の材質から構成されていることが好ましく、特に、耐薬品性や撥水性を考慮して材料の選定が行われる。好ましい材料としては、ポリカーボネイト等の樹脂材が挙げられる。筐体６０１の側面の長さ（Ｚ方向長さ）は十数ｍｍであり、ストラップ６０２ａの幅は筐体６０１の側面よりも少し狭い長さとなっている。またストラップ６０２ａの長さは百数十ｍｍ程度である。
【００５１】
図８は、ストラップの変形例を示す図である。同図に示す形状以外は、図１から図６に示す実施形態と同様であり説明を省略する。図８に示すストラップ６０２ｂはループ状のストラップである。ループの折り返し部までの長さは百数十ｍｍ程度である。ループ状とすることにより、図７等に示した短冊状のストラップ６０２ａと比較して、ストラップがねじれることを防止でき、また垂れ下がることを防ぐことができるというメリットがある。またねじれを防止することにより無線通信の電波の偏波面を一定に保つことができ、ひいては安定した通信状態を確保できるというメリットがある。
【００５２】
またループ状のストラップ６０２ｂでは、ストラップの位置を、筐体６０１の側面に対応する位置（受光面Ｆと背面Ｂの平面に挟まれた領域）に維持し易くなる。このことによりＦＰＤ６をブッキ撮影台１１の装着部１１０に装填及び脱着する際に、ストラップ６０２ｂが邪魔になるということを防止できる。なお、表示部ＬＥＤは、ストラップ６０２ｂの両側から視認できるように同一の表示部ＬＥＤを表と裏にそれぞれ設けている。
【００５３】
図９は、ＦＰＤ６を装着部１１０に装填している状態を示す図である。同図に示すように、通常は装填状態において、ＦＰＤ６は装着部１１０の開口部１１０ａより奥側に位置する。従来のＦＰＤ６では装着部１１０に装填された状態では、無線通信の電波が装着部１１０で遮断されるという問題や、あるいは、筐体に設けられた表示部ＬＥＤが操作者から認識できないという問題があった。本実施形態においてはストラップ６０２ｂにアンテナ部ＡＮ及び表示部ＬＥＤが設けられているためにこのような問題を防ぐことが可能である。
【００５４】
次に、稜Ｅにストラップ６０２ａ、６０２ｂを設ける効果について説明する。図１０（ａ）、図１０（ｂ）、図１０（ｃ）、図１０（ｄ）は、異なる形状及び装填方向が左右異なる装着部１１０に図９に示したＦＰＤ６を装填した際の状態を示す図である。同図の矢印は装填方向を示している。稜Ｅにストラップ６０２ｂ（６０２ａも同様）を設けることにより、形状が異なる装着部１１０にＦＰＤ６を装填したとしても、開口部１１０ａの方にストラップ６０２ｂを位置させることが可能となる。このことによりＦＰＤ６を装着部１１０に装填した状態であっても、無線通信の電波が装着部１１０で遮断されるという問題や、あるいは、筐体に設けられた表示部ＬＥＤが操作者から認識できないという問題を防ぐことができる。
【００５５】
［一対のボタンからなる選択スイッチを備える他の変形例］
次に、図１１に基づいてストラップの他の変形例について説明する。同図に示す形状以外は、図１から図６、図８に示す実施形態と同様であり説明は省略する。同図に示す実施形態においては、一対のボタンＳＷ１、ＳＷ２により選択スイッチが構成される。２つのボタンＳＷ１、ＳＷ２は、ストラップ６０２ｂを二つ折りした際に、相対する位置に設けられており、同図に示すように操作者が片方の手Ｈで両方のボタンＳＷ１、ＳＷ２を同時に押すことができるように配置されている。そして両方のボタンＳＷ１、ＳＷ２を同時に押した場合にだけ、選択スイッチとして機能するように構成されている。このようにすることにより誤操作により選択スイッチが機能することを防止することが可能となる。
【符号の説明】
【００５６】
１  システム
３  放射線照射装置
４  撮影操作装置
５  アクセスポイント
５１  ホストデバイス５１
７  コンソール
９  ＨＵＢ
６  放射線画像撮像装置
６０１  筐体
Ｆ  受光面
Ｂ  背面
Ｅ  稜
６０２ａ、６０２ｂ  ストラップ
ＳＷ  選択スイッチ
ＳＷ１、ＳＷ２  ボタン
ＬＥＤ  表示部
ＡＮ  アンテナ部
１００  撮影室
１１  ブッキ撮影台
１１０  装着部
１１０ａ  開口部
【図１】
2010187734.tif 000003
【図２】
2010187734.tif 000004
【図３】
2010187734.tif 000005
【図４】
2010187734.tif 000006
【図５】
2010187734.tif 000007
【図６】
2010187734.tif 000008
【図７】
2010187734.tif 000009
【図８】
2010187734.tif 000010
【図９】
2010187734.tif 000011
【図１０】
2010187734.tif 000012
【図１１】
2010187734.tif 000013